(57)【要約】      （修正有）【課題】施錠・解錠状態が目視により確認できる鍵およびシリンダーを提供する。【解決手段】シリンダーの一部に施錠される位置に突起部を設け、その突起部に押されるようにして持ち手に具備されたスイッチが入り、持ち手の一部に施錠、解錠状態が液晶表示により表現される。【選択図】図１
0003161790.tif 000002
【実用新案登録請求の範囲】
【請求項１】
シリンダーの一部に突起が附設され、鍵穴に鍵を差し込んで施錠、又は解錠する際に持ち手の一部に具備されたスイッチが突起により押され、持ち手の一部に表示されることを特徴とする施錠確認表示付き鍵、及びシリンダー。
【請求項２】
持ち手の一部に液晶による表示面が附設されたことを特徴とする施錠確認表示付き鍵。
【請求項３】
持ち手の一部に機械式による表示面が附設されたことを特徴とする施錠確認表示付き鍵。
【考案の詳細な説明】
【技術分野】
【０００１】本考案は表示機能付き鍵、及びシリンダーに関する。
【背景技術】
【０００２】  従来の施錠状態が表示される表示機能付き鍵は、これまで様々なものが提案されているが、それらの多くは部品点数が多く、また提案によってはセンサー内蔵により構造が複雑になり、その為サイズが大きくなったり、製造コストが高くなり実用品としての価値が低いものであった。また、鍵本体の提案に比べシリンダーに関する提案は極めて少なかった。
（特許文献１、特許文献２）
【先行技術文献】
【特許文献】
【０００３】
【特許文献１】  特開２００６−１６９４６
【特許文献２】  特開平１０−１２１８０１
【考案の概要】
【考案が解決しようとする課題】
【０００４】  日常の忙しい生活の中で、外出した際にふと自宅あるいは会社の玄関の鍵を閉めたかどうか気になる時があり、外出途中から不安を抱えて急いで戻り施錠状態を確認すると、ちゃんと施錠されていたという事がしばしばある。そのような不安や、時間の無駄を解消する方法のひとつとして、鍵本体に何らかの方法で施錠、解錠状態が目視により確認できる表示部が附設された施錠確認表示付き鍵を提供するものである。
【課題を解決するための手段】
【０００５】  本考案は上記目的を達成するために、鍵をシリンダーの鍵穴に差し込み時計回り又は反時計回りに回転、すなわち施錠、又は解錠せしめた時に鍵の持ち手２Ａの一部に具備された液晶画面によって、例えばＣＬＯＳＥ、または閉というような表示がなされ、施錠状態が目視で確認できるものである。【０００６】  また、同様に解錠状態も液晶画面に例えば、ＯＰＥＮ、または開というように表示されるが、施錠、解錠状態を表す方法は、前述の文字以外に図柄を用いてもよい。【０００７】  鍵をシリンダー４Ａの鍵穴５Ａに差し込んで時計廻り、又は反時計回りに回転させた時、シリンダー４Ａの一部に突起６Ａを設け、鍵を回転させ続けると前述の突起６Ａを通過するよう図１２の右側面図に示すよう持ち手２Ａのセンターを基準として左右一対の切り欠き１４Ａを設ける。左右の切り欠き１４の奥にはそれぞれスイッチ１１Ａ，スイッチ１２Ａが用意されており、鍵本体１が鍵穴５Ａに差し込まれ時計廻り、又は反時計廻りのいずれかに回転させた時、シリンダー４Ａの一部に附設された突起６Ａによりスイッチ１１Ａ、又はスイッチ１２Ａが押され、液晶９Ａには例えばＣＬＯＳＥ又は閉、あるいはＯＰＥＮ又は開というように表示される。【０００８】  液晶の表示は薄型で丸いリチウム電池１２Ａを使用するが、電池が入った後は電池が消耗するまで表示され続ける。そのためふと気になった時でも煩わしい操作なしに、施錠、解錠状態の確認が容易にできるものである。
【考案の効果】
【０００９】  本考案の一実施形態に係わる施錠確認表示付き鍵及びシリンダーによれば、それまで外出先でふと自宅、会社を出た時施錠したか否か不安を抱えたまま過ごす時間があったが施錠確認表示付き鍵自体に施錠、解錠状態が表示されているため、わざわざ確認の為戻ったりする時間の無駄がなくなり、且つ安心感を持たせる効果がある。
【図面の簡単な説明】
【００１０】
【図１】本考案の一実施形態に係わる施錠確認表示付き鍵及びシリンダーの斜視図である。
【図２】同施錠確認表示付き鍵及びシリンダーの別方向からの斜視図である。
【図３】同施錠確認表示付き鍵による施錠状態を示す斜視図である。
【図４】同施錠確認表示付き鍵の分解斜視図である。
【図５】同施錠確認表示付き鍵のａ部拡大図である。
【図６】同施錠確認表示付き鍵の構成部品を示す分解斜視図である。
【図７】同施錠確認表示付き鍵の背面方向から見た分解斜視図である。
【図８】同施錠確認表示付き鍵の正面図である。
【図９】同施錠確認表示付き鍵の底面図である。
【図１０】同施錠確認表示付き鍵の背面図である。
【図１１】同施錠確認表示付き鍵の上面図である。
【図１２】同施錠確認表示付き鍵の右側面図である。
【図１３】同施錠確認表示付き鍵の左側面図である。
【図１４】同施錠確認表示付き鍵のａ−ａ断面図である。
【図１５】同施錠確認表示付き鍵のｂ−ｂ断面図である。
【図１６】同施錠確認表示付き鍵のｃ−ｃ断面図である。
【図１７】本考案施錠確認表示付き鍵及びシリンダーに係わるシリンダー４Ａ及び突起６Ａの正面図である。
【図１８】同シリンダー４Ａ及び突起６Ａの右側面図である。
【図１９】同シリンダー４Ａ及び突起６Ａの上面図である。
【図２０】本考案の一実施形態に係わる施錠確認表示付き鍵及びシリンダーの施錠時の斜視図である。
【図２１】同施錠確認表示付き鍵を鍵穴５Ａに差し込み、施錠した時の斜視図である。
【図２２】同施錠確認表示付き鍵により施錠された事を示す斜視図である。
【図２３】同施錠確認表示付き鍵により施錠されたのを確認後、施錠確認表示付き鍵を抜いた斜視図である。
【図２４】同施錠表示付き鍵による解錠動作に入る斜視図である。
【図２５】同施錠確認表示付き鍵を鍵穴５Ａに差し込み、反時計廻りに回転し解錠状態となった斜視図である。
【図２６】同施錠確認表示付き鍵により解錠が完了し、同鍵を引き抜く状態の斜視図。
【図２７】同施錠確認表示付き鍵を鍵穴５Ａから抜いた斜視図である。
【図２８】本考案の一実施形態に係わる施錠確認表示付き鍵及びシリンダーの斜視図である。
【図２９】同施錠確認表示付き鍵の斜視図である。
【図３０】同施錠確認表示付き鍵の分解斜視図である。
【図３１】同施錠確認表示付き鍵の部品構成を示す分解斜視図である。
【図３２】同施錠確認表示付き鍵の施錠時の表示板６Ｂの状態を上面から見た断面図である。
【図３３】同施錠確認表示付き鍵の解錠時の表示板６Ｂの状態を底面から見た断面図である。
【図３４】同施錠確認表示付き鍵の正面図である。
【図３５】同施錠確認表示付き鍵の底面図である。
【図３６】同施錠確認表示付き鍵の背面図である。
【図３７】同施錠確認表示付き鍵の上面図である。
【図３８】同施錠確認表示付き鍵の右側面図である。
【図３９】同施錠確認表示付き鍵の左側面図である。
【図４０】本考案の一実施形態に係わる施錠確認表示付き鍵及ノシリンダーのシリンダー３Ｂ及び突起５Ｂを含む正面図である。
【図４１】同シリンダー３Ｂの右側面図である。
【図４２】同シリンダー３Ｂの上面図である。
【考案を実施するための形態】
【００１１】  図１は本考案の一実施形態に係わる施錠確認表示付き鍵及びシリンダーの斜視図である。本考案は施錠、解錠をするための鍵およびシリンダーに係わるものであり、シリンダー４Ａに組み込まれる鍵穴５Ａの周囲の一部には突起６Ａが附設されており、また鍵本体１と持ち手２Ａからなる施錠確認表示付き鍵には液晶９Ａが具備されており、その表示状態を観ることで外出先からでも施錠、解錠の確認が容易にできるものである。
【００１２】  又、図３０に示すよう前述の液晶表示のような電気による作動ではなく、機械式にしてもよい。以下に実施例を示す事で本考案の詳細を説明するが、その構成、形状は設計変更できる。本考案は多くの異なる態様で実施することが可能であり、以下に示す実施例の記載内容に限定して解釈されるものではない。以下図面に従って説明する。
【実施例】
【００１３】  図２は本考案の一実施形態に係わる施錠確認表示付き鍵の背面側から見た斜視図であるが、液晶表示を実施するための電池が内蔵されており電池蓋７Ａが附設される。電源としては丸くて厚みの少ないリチューム電池１２Ａを使用することでコンパクトに作ることが可能になる。【００１４】  図３は本考案の一実施形態に係わる施錠確認表示付き鍵の施錠状態が液晶９Ａにより表現された状態を示す斜視図であるが一旦本考案の施錠確認表示付き鍵を本考案のシリンダー４Ａに具備される鍵穴５Ａに差し込み時計回り、又は反時計回りのいずれかに回転させると、ＯＰＥＮ又は開、あるいはＣＬＯＳＥ又は閉の文字が電池が消耗するまで液晶９Ａに表示され続ける。【００１５】  図４は本考案の一実施形態に係わる施錠確認表示付き鍵の前ケース２Ａ−１を外した状態を表す斜視図であり、後ろケース２Ａ−２には鍵本体１Ａ及び基板８Ａが組み込まれ、その前方には液晶９Ａが組付けられる。又、前ケース２Ａ−１の前面にはアクリル、又はスチロールのいずれかで射出整形された透明な化粧板３Ａが前ケース２Ａ−１の前面、もしくは裏面から張り込まれ液晶表示面を形成している。【００１６】  図５は本考案の一実施形態に係わるａ部拡大図であるが、後ケース２Ａ−２の図中の上面側の一部には本考案施錠確認表示付き鍵を鍵穴５Ａに差し込み、時計回り、あるいは反時計回りに回転させた時、前述のシリンダー４Ａに附設された突起６Ａが通過できるように図１２の右側面図に示すよう持ち手２Ａのセンターを基準として左右一対の切り欠き１４Ａが設けられている。更に基板８Ａには本考案施錠確認表示付き鍵の切り欠き１４Ａが時計廻り、又は反時計廻りのいずれかの方向で回転した際にシリンダー４Ａに附設された突起６Ａにより押されるよう、スイッチ１０Ａ，スイッチ１１Ａが設けられている。【００１７】  図６は本考案の一実施形態に係わる施錠確認表示付き鍵の構成部品を示す分解斜視図であり、前ケース２Ａ−１，後ケース２Ａ−２はＡＢＳ樹脂で射出成形される。【００１８】  図７は本考案の一実施形態に係わる施錠確認表示付き鍵の背面斜視図である。背面には電池蓋７Ａが具備されており、電池が消耗した時点で止めビス１３Ａを緩め取り外し、電池交換ができる【００１９】  図８は本考案の一実施形態に係わる施錠確認表示付き鍵の正面図であるが、鍵本体１Ａを含む全長Ｌ１は１００〜１０５ミリ程が施錠、解錠時には扱いやすく好適である。持ち手２Ａの寸法Ｌ２も同様に持ちやすさ、液晶表示の見やすさから考えて、６５〜７０ミリ程が好ましい。又、Ｌ３はシリンダー４Ａに附設される突起６Ａの位置にもよるが、２５ミリ程が握りやすく好適である。液晶表示画面における化粧板３Ａの寸法は視認性の良さから考えて、Ｌ４を２６ミリ、Ｌ５を１２ミリ程に設定することが好ましい【００２０】  図９は本考案の一実施形態に係わる施錠確認表示付き鍵の底面図であり、図１０は同背面図である。切り欠き１４Ａの深さはシリンダー４Ａに附設される突起６Ａの高さＬ９にクリアランスを加えた寸法として、２．５〜２．８ミリ程が好ましい。図１１は上面図であり、持ち手２Ａの厚み方向寸法Ｌ７は内蔵される基板８Ａ，液晶９Ａ，バッテリー１２Ａの構成か��考えて、９〜１０ミリ程に押さえることが扱いやすく好適である。【００２１】  図１２は本考案の一実施形態に係わる同施錠確認表示付き鍵の右側面図であるが、切り欠き１４Ａは鍵穴５Ａに本考案施錠確認表示付き鍵を差し込んで施錠、解錠する際、鍵穴５Ａの中心を基準として、時計廻り、又は反時計廻りに回転するため、同じく鍵本体１の中心を基準に同心円上に形成され，その軌道上にスイッチ１０Ａ、スイッチ１１Ａが配置される。図１３は左側面図である。【００２２】  図１４は本考案の一実施形態に係わる施錠確認表示付き鍵のａ−ａ断面図であり、図１５はｂ−ｂ断面図である。図１６はｃ−ｃ断面図であり、電源供給は薄くて丸い、リチューム電池１２Ａが使用される。【００２３】  図１７は本考案の一実施形態に係わる鍵穴５Ａ及び突起６Ａが組み込まれたシリンダー４Ａの正面図であり、突起６Ａの幅Ｌ８は１３ミリ程を設定すれば施錠、解錠いずれの場合にも本考案の施錠確認表示付き鍵を時計廻り、あるいは反時計廻りに回転させても突起６Ａに押されるようにしてスイッチ９Ａ，スイッチ１０のいずれかがが作動することとなる。【００２４】  図１８は本考案の一実施形態に係わる鍵穴５Ａ，突起６Ａが組み込まれたシリンダー４Ａの右側面図であり、突起６Ａの高さ方向Ｌ９の寸法を２ミリ程に設定することで前述同様施錠確認表示付き鍵を鍵穴５Ａに差し込み施錠、解錠の要領で時計廻り、又は反時計廻りのいずれかの方向に回転させた時、切り欠き１４Ａの軌道上となるよう基板８Ａに配置されたスイッチ１０Ａ，またはスイッチ１１Ａが突起６Ａに押されるようにして作動することとなる。【００２５】  図１９は本考案の一実施形態に係わるシリンダー４Ａの上面図である。【００２６】  次に実際に本考案の一実施形態に係わる施錠確認表示付き鍵及びシリンダーによる使用状態を説明する。
図２０は本考案施錠確認表示付き鍵を使って施錠する前の状態を表す図であるが、液晶９Ａによる表示は例えばＯＰＥＮ，すなわち解錠状態が表示されている。【００２７】  図２１は鍵穴５Ａに本考案の施錠確認表示付き鍵を差し込み、時計廻りで９０°以上１３５°以内で回転させた時施錠され、同時に持ち手２Ａに具備されたスイッチ１０Ａがシリンダー４Ａに附設された突起６Ａに押されるようにして作動し、液晶９Ａによる表示は例えばＣＬＯＳＥ，すなわち施錠状態となったことが表示される。【００２８】  図２２は施錠が液晶表示により確認でき、施錠確認表示付き鍵を約９０°反時計回りさせた状態を表す図である。【００２９】  図２３は確実に施錠が完了し、本考案の施錠確認表示付き鍵を引き抜いた状態を表す図である。【００３０】  次に、解錠時での本考案の施錠確認表示付き鍵の操作を説明する。図２４はすでに施錠されている鍵を解錠するために本考案の施錠確認表示付き鍵を鍵穴５Ａに差し込む寸前の状態を表す。次に図２５に示すよう、本考案の施錠確認表示付き鍵を鍵穴５Ａに差し込んだまま時計回りへ９０°以上回転させると解錠がなされ、同時に持ち手２Ａ具備されたスイッチ１１Ａがシリンダー４Ａに附設された突起６Ａに押されるようにして作動し、解錠状態となったことを液晶表示により示される。【００３１】  図２６は本考案の施錠確認表示付き鍵により解錠されたのを確認後、鍵穴５Ａに施錠確認表示付き鍵を注したまま約９０°時計回りに回転させた状態を表す図であり、液晶９Ａによる表示は解錠状態となったことが示される。【００３１】  図２７は解錠状態を確認後、シリンダー５Ａより本考案の施錠確認表示付き鍵を引き抜いた状態を表す図である。【００３２】  図２８は本考案の一実施形態に係わる施錠確認表示付き鍵およびノシリンダーの機械式タイプの斜視図である。前述同様ノブ３Ｂに組み込まれる鍵穴４Ｂの周囲の一部には突起５Ｂが附設されており、また、鍵本体１Ｂと持ち手２Ｂからなる施錠確認表示付き鍵には持ち手２Ｂの中央付近に確認用窓８Ｂが前ケース２Ｂ−１，後ろケース２Ｂ−２ともに設けられている。【００３３】  図２９は本考案の一実施形態に係わる施錠確認表示付き鍵の斜視図である。【００３４】  図３０は本考案の一実施形態に係わる施錠確認表示付き鍵の前ケース２Ｂ−１を外した分解斜視図であり、鍵本体１Ｂを挟み込むようコの字にＡＢＳ樹脂で射出成形、もしくは同様に鉄、真鍮のいずれかでプレスされた金属により作成された表示板６Ｂが程よい抵抗感を持って止めピン７Ｂを介して鍵本体１Ｂに固定される。【００３５】  図３１は本考案の一実施形態に係わる施錠確認表示付き鍵の構成部品を示す分解斜視図である。表示板６Ｂには前面、背面ともに印刷面が施されており、図３２に示すよう本考案の施錠確認表示雪鍵を鍵穴４Ｂに差し込み施錠、解錠のいずれかをする時、シリンダー３Ｂに附設された突起５Ｂにより押され、例えば解錠時には注意を促す意味で赤い色が印刷されており、また施錠時には例えば持ち手２Ｂが白色で成形、あるいは塗装されていた時、同色の白色が印刷されており、その時の施錠、解錠状態が確認用窓８Ｂで表示される。【００３６】  図３２は本考案の一実施形態に係わる施錠確���表示付き鍵の解錠時に於ける表示板６Ｂが突起５Ｂに押され、前述のように例えば印刷された赤い色が確認用窓８Ｂの真下に位置したことを上面から見た状態を表した図である。【００３７】  図３３は本考案の一実施形態に係わる施錠確認表示付き鍵の施錠時に於ける表示板６Ｂが突起５Ｂに押され、前述のように例えば印刷された白い色が確認用窓８Ｂの真下に位置したことを底面から見た状態を表した図である。【００３８】  図３４は本考案の一実施形態に係わる施錠確認表示付き鍵の正面図であり、鍵本体１及び、持ち手２Ｂを含む寸法Ｌ１０は１００〜１０５ミリ程が施錠、解錠時には扱いやすく好適である。持ち手２Ｂの寸法Ｌ１１も同様に持ちやすさ、表示用窓９の見やすさから考えて、６５〜７０ミリ程が好ましい。更にＬ１２も２５ミリ程が手になじみ扱いやすい。【００３９】  図３５は本考案の一実施形態に係わる施錠確認表示付き鍵の上面図であるが、持ち手２Ｂの厚さＬ１３は前述の電池式施錠確認表示付き鍵と比較した時、基板８Ａ、液晶９Ａ、バッテリー１２Ａが必要ないため、薄く作ることが可能であり、８ミリ程にすることが好ましい。【００４０】  図３６は同施錠確認表示付き鍵の背面図であり、同鍵を鍵穴４Ｂに差し込み、時計、又は反時計回りのいずれかに９０°以上１３５°以下で回転させた時、シリンダー３Ｂに附設された突起５Ｂが通過できるようその円周軌道上に適宜な切り欠き９Ｂを一対設け、鍵本体１Ｂに附設された表示板６Ｂが突起５Ｂに押されるかたちで止めピン７Ｂを支点として回転し、確認用窓８Ｂに例えば前述のように解錠時には赤で印刷された面が表れる。【００４１】  図３７は同施錠確認表示付き鍵の底面図であり、図３８は右側面図であるが、施錠、解錠する際には鍵穴４Ｂに施錠確認表示付き鍵を差し込み、９０°以上１３５°以内で回転させるため、突起５Ｂの位置する円周の軌道上に切り欠き９Ｂを設けるようにする。【００４２】  図３９は同施錠確認表示付き鍵の左側面図である。【００４３】図４０乃至図４２は同施錠確認表示付き鍵及びノシリンダーのシリンダー３Ｂの正面図、右側面図、上面図である。シリンダー３Ｂに具備される突起５Ｂの長さＬ１４は確実に表示板６Ｂを止めピン７Ｂを支点として回転を加えるために１７ミリ程に設定することが好ましい。またその高さＬ１５は４ミリ程に設定することが望ましい。
【産業上の利用可能性】
【００４４】  本考案施錠確認表示付き鍵及びシリンダーによれば、全世帯において鍵を掛けるということは日常生活に於いて欠くことのできないことであるが、それに伴い外出時にきちんと施錠をしたか否かの不安があった。、本考案施錠確認表示付き鍵及びシリンダーを提供することで、多くの人々の不安を払拭できる有効な手段となるものである。
【符号の説明】
【００４５】１Ａ・・・・鍵本体
２Ａ・・・・持ち手
２Ａ−１・・・前ケース
２Ａ−２・・・後ろケース
３Ａ・・・・化粧板
４Ａ・・・・シリンダー
５Ａ・・・・鍵穴
６Ａ・・・・突起
７Ａ・・・・電池蓋
８Ａ・・・・基板
９Ａ・・・・液晶
１０Ａ・・・スイッチ
１１Ａ・・・スイッチ
１２Ａ・・・・バッテリー（リチューム電池）
１３Ａ・・・・止めビス
１４Ａ・・・・切り欠き
１Ｂ・・・・鍵本体
２Ｂ・・・・持ち手
２Ｂ−１・・・前ケース
２Ｂ−２・・・後ろケース
３Ｂ・・・・シリンダー
４Ｂ・・・・鍵穴
５Ｂ・・・・突起
６Ｂ・・・・表示板
７Ｂ・・・・止めピン
８Ｂ・・・・確認用窓
９Ｂ・・・・切り欠き
【図１】
0003161790.tif 000003
【図２】
0003161790.tif 000004
【図３】
0003161790.tif 000005
【図４】
0003161790.tif 000006
【図５】
0003161790.tif 000007
【図６】
0003161790.tif 000008
【図７】
0003161790.tif 000009
【図８】
0003161790.tif 000010
【図９】
0003161790.tif 000011
【図１０】
0003161790.tif 000012
【図１１】
0003161790.tif 000013
【図１２】
0003161790.tif 000014
【図１３】
0003161790.tif 000015
【図１４】
0003161790.tif 000016
【図１５】
0003161790.tif 000017
【図１６】
0003161790.tif 000018
【図１７】
0003161790.tif 000019
【図１８】
0003161790.tif 000020
【図１９】
0003161790.tif 000021
【図２０】
0003161790.tif 000022
【図２１】
0003161790.tif 000023
【図２２】
0003161790.tif 000024
【図２３】
0003161790.tif 000025
【図２４】
0003161790.tif 000026
【図２５】
0003161790.tif 000027
【図２６】
0003161790.tif 000028
【図２７】
0003161790.tif 000029
【図２８】
0003161790.tif 000030
【図２９】
0003161790.tif 000031
【図３０】
0003161790.tif 000032
【図３１】
0003161790.tif 000033
【図３２】
0003161790.tif 000034
【図３３】
0003161790.tif 000035
【図３４】
0003161790.tif 000036
【図３５】
0003161790.tif 000037
【図３６】
0003161790.tif 000038
【図３７】
0003161790.tif 000039
【図３８】
0003161790.tif 000040
【図３９】
0003161790.tif 000041
【図４０】
0003161790.tif 000042
【図４１】
0003161790.tif 000043
【図４２】
0003161790.tif 000044
【手続補正書】
【提出日】平成22年5月18日(2010.5.18)
【手続補正１】
【補正対象書類名】実用新案登録請求の範囲
【補正対象項目名】全文
【補正方法】変更
【補正の内容】
【実用新案登録請求の範囲】
【請求項１】
シリンダーの一部に突起が附設され、鍵穴に鍵を差し込んで施錠、又は解錠する際に持ち手の一部に具備されたスイッチがシリンダーに附設された突起により押され、施錠、又は解錠状態が持ち手の一部に表示される事を特徴とする施錠確認表示付き鍵、及びシリンダー。
【請求項２】
施錠、又は解錠状態が液晶により表示されることを特徴とする請求項１に記載の施錠確認表示付き鍵、及びシリンダー。
【請求項３】
施錠、又は解錠状態が機械式により表示されることを特徴とする請求項１乃至請求項２のいずれか１項に記載の施錠確認表示付き鍵、及びシリンダー。
【手続補正２】
【補正対象書類名】明細書
【補正対象項目名】全文
【補正方法】変更
【補正の内容】
【考案の詳細な説明】
【技術分野】
【０００１】本考案は表示機能付き鍵、及びシリンダーに関する。
【背景技術】
【０００２】従来の施錠状態が表示される表示機能付き鍵は、これまで様々なものが提案されているが、それらの多くは部品点数が多く、また提案によってはセンサー内蔵により構造が複雑になり、その為サイズが大きくなったり、製造コストが高くなり実用品としての価値が低いものであった。また、鍵本体の提案に比べシリンダーに関する提案は極めて少なかった。（特許文献１、特許文献２）
【先行技術文献】
【特許文献】
【０００３】
【特許文献１】特開２００６−１６９４６
【特許文献２】特開平１０−１２１８０１
【考案の概要】
【考案が解決しようとする課題】
【０００４】日常の忙しい生活の中で、外出した際にふと自宅あるいは会社の玄関の鍵を閉めたかどうか気になる時があり、外出途中から不安を抱えて急いで戻り施錠状態を確認すると、ちゃんと施錠されていたという事がしばしばある。そのような不安や、時間の無駄を解消する方法のひとつとして、鍵本体の一部に施錠、解錠状態が目視により確認できる表示部が附設された施錠確認表示付き鍵を提供するものである。
【課題を解決するための手段】
【０００５】本考案は上記目的を達成するために、鍵をシリンダーの鍵穴に差し込み時計廻り又は反時計廻りに回転、すなわち施錠、又は解錠せしめた時に鍵の持ち手２Ａの一部に具備された液晶画面によって、例えばＣＬＯＳＥ、または閉というような表示がなされ、施錠状態が目視で確認できるものである。【０００６】また、同様に解錠状態も液晶画面に例えば、ＯＰＥＮ、または開というように表示されるが、施錠、解錠状態を表す方法は、前述の文字以外に図柄を用いてもよい。【０００７】鍵をシリンダー４Ａの鍵穴５Ａに差し込んで時計廻り、又は反時計廻りに回転させた時、シリンダー４Ａの一部には突起６Ａが設けられており、鍵を回転させ続けると前述の突起６Ａを通過するようにして図１２の右側面図に示すよう持ち手２Ａのセンターを基準として左右一対の切り欠き１４Ａを設ける。左右の切り欠き１４Ａの奥にはそれぞれスイッチ１０Ａ、スイッチ１１Ａが用意されており、鍵本体１Ａが鍵穴５Ａに差し込まれ時計廻り、又は反時計廻りのいずれかに回転させた時、シリンダー４Ａの一部に附設された突起６Ａによりスイッチ１０Ａ、又はスイッチ１１Ａが押され、液晶９Ａには例えばＣＬＯＳＥ又は閉、あるいはＯＰＥＮ又は開というように表示される。【０００８】液晶の表示は薄型で丸いリチウム電池１２Ａを使用するが、電池が入った後は電池が消耗するまで表示され続ける。そのためふと気になった時でも煩わしい操作なしに、施錠、解錠状態の確認が容易にできるものである。
【考案の効果】
【０００９】本考案の一実施形態に係わる施錠確認表示付き鍵、及びシリンダーによれば、それまで外出先でふと自宅、会社を出た時施錠したか否か不安を抱えたまま過ごす時間があったが施錠確認表示付き鍵自体に施錠、解錠状態が表示されているため、わざわざ確認の為戻ったりする時間の無駄がなくなり、且つ安心感を持たせる効果がある。
【図面の簡単な説明】
【００１０】
【図１】本考案の一実施形態に係わる施錠確認表示付き鍵、及びシリンダーの斜視図である。
【図２】同施錠確認表示付き鍵及びシリンダーの別方向からの斜視図である。
【図３】同施錠確認表示付き鍵による施錠状態を示す斜視図である。
【図４】同施錠確認表示付き鍵の分解斜視図である。
【図５】同施錠確認表示付き鍵のａ部拡大図である。
【図６】同施錠確認表示付き鍵の構成部品を示す分解斜視図である。
【図７】同施錠確認表示付き鍵の背面方向から見た分解斜視図である。
【図８】同施錠確認表示付き鍵の正面図である。
【図９】同施錠確認表示付き鍵の底面図である。
【図１０】同施錠確認表示付き鍵の背面図である。
【図１１】同施錠確認表示付き鍵の上面図である。
【図１２】同施錠確認表示付き鍵の右側面図である。
【図１３】同施錠確認表示付き鍵の左側面図である。
【図１４】同施錠確認表示付き鍵のａ−ａ断面図である。
【図１５】同施錠確認表示付き鍵のｂ−ｂ断面図である。
【図１６】同施錠確認表示付き鍵のｃ−ｃ断面図である。
【図１７】本考案施錠確認表示付き鍵、及びシリンダーに係わるシリンダー４Ａ及び突起６Ａの正面図である。
【図１８】同シリンダー４Ａ及び突起６Ａの右側面図である。
【図１９】同シリンダー４Ａ及び突起６Ａの上面図である。
【図２０】本考案の一実施形態に係わる施錠確認表示付き鍵、及びシリンダーの施錠時の斜視図である。
【図２１】同施錠確認表示付き鍵を鍵穴５Ａに差し込み、施錠した時の斜視図である。
【図２２】同施錠確認表示付き鍵により施錠された事を示す斜視図である。
【図２３】同施錠確認表示付き鍵により施錠されたのを確認後、施錠確認表示付き鍵を抜いた斜視図である。
【図２４】同施錠確認表示付き鍵による解錠動作に入る斜視図である。
【図２５】同施錠確認表示付き鍵を鍵穴５Ａに差し込み、反時計廻りに回転し解錠状態となった斜視図である。
【図２６】同施錠確認表示付き鍵により解錠が完了し、同鍵を引き抜く状態の斜視図。
【図２７】同施錠確認表示付き鍵を鍵穴５Ａから抜いた斜視図である。
【図２８】本考案の一実施形態に係わる施錠確認表示付き鍵及びシリンダーの斜視図である。
【図２９】同施錠確認表示付き鍵の斜視図である。
【図３０】同施錠確認表示付き鍵の分解斜視図である。
【図３１】同施錠確認表示付き鍵の部品構成を示す分解斜視図である。
【図３２】同施錠確認表示付き鍵の施錠時の表示板６Ｂの状態を上面から見た断面図である。
【図３３】同施錠確認表示付き鍵の解錠時の表示板６Ｂの状態を底面から見た断面図である。
【図３４】同施錠確認表示付き鍵の正面図である。
【図３５】同施錠確認表示付き鍵の底面図である。
【図３６】同施錠確認表示付き鍵の背面図である。
【図３７】同施錠確認表示付き鍵の上面図である。
【図３８】同施錠確認表示付き鍵の右側面図である。
【図３９】同施錠確認表示付き鍵の左側面図である。
【図４０】本考案の一実施形態に係わる施錠確認表示付き鍵、及びシリンダーのシリンダー３Ｂ及び突起５Ｂを含む正面図である。
【図４１】同シリンダー３Ｂの右側面図である。
【図４２】同シリンダー３Ｂの上面図である。
【考案を実施するための形態】
【００１１】図１は本考案の一実施形態に係わる施錠確認表示付き鍵、及びシリンダーの斜視図である。本考案は施錠、解錠をするための鍵およびシリンダーに係わるものであり、シリンダー４Ａに組み込まれる鍵穴５Ａの周囲の一部には突起６Ａが附設されており、また鍵本体１Ａと持ち手２Ａからなる施錠確認表示付き鍵には液晶９Ａが具備されており、その表示状態を観ることで外出先からでも施錠、解錠の確認が容易にできるものである。
【００１２】又、図３０に示すよう前述の液晶表示のような電気による作動ではなく、機械式にしてもよい。以下に実施例を示す事で本考案の詳細を説明するが、その構成、形状は設計変更できる。本考案は多くの異なる態様で実施することが可能であり、以下に示す実施例の記載内容に限定して解釈されるものではない。以下図面に従って説明する。
【実施例】
【００１３】図２は本考案の一実施形態に係わる施錠確認表示付き鍵の背面側から見た斜視図であるが、液晶表示を実施するための電池が内蔵されており、電池蓋７Ａが附設される。電源としては丸くて厚みの少ないリチューム電池１２Ａを使用することでコンパクトに作ることが可能になる。【００１４】図３は本考案の一実施形態に係わる施錠確認表示付き鍵の施錠状態が液晶９Ａにより表現された状態を示す斜視図であるが、一旦本考案の施錠確認表示付き鍵を本考案のシリンダー４Ａに具備される鍵穴５Ａに差し込み時計廻り、又は反時計廻りのいずれかに回転させると、ＯＰＥＮ又は開、あるいはＣＬＯＳＥ又は閉の文字が電池が消耗するまで液晶９Ａに表示され続ける。【００１５】図４は本考案の一実施形態に係わる施錠確認表示付き鍵の前ケース２Ａ−１を外した状態を表す斜視図であり、後ろケース２Ａ−２には鍵本体１Ａ及び基板８Ａが組み込まれ、その前方には液晶９Ａが組付けられる。又、前ケース２Ａ−１の前面にはアクリル、又はスチロールのいずれかで射出整形された透明な化粧板３Ａが前ケース２Ａ−１の前面、もしくは裏面から張り込まれ液晶表示面を形成している。【００１６】図５は本考案の一実施形態に係わるａ部拡大図であるが、後ケース２Ａ−２の図中の上面側の一部には本考案施錠確認表示付き鍵を鍵穴５Ａに差し込み、時計廻り、あるいは反時計廻りに回転させた時、前述のシリンダー４Ａに附設された突起６Ａが通過できるように図１２の右側面図に示すよう持ち手２Ａのセンターを基準として左右一対の切り欠き１４Ａが設けられている。更に基板８Ａには本考案施錠確認表示付き鍵の切り欠き１４Ａが時計廻り、又は反時計廻りのいずれかの方向で回転した際にシリンダー４Ａに附設された突起６Ａにより押されるよう、スイッチ１０Ａ、スイッチ１１Ａが設けられている【００１７】図６は本考案の一実施形態に係わる施錠確認表示付き鍵の構成部品を示す分解斜視図であり、前ケース２Ａ−１，後ケース２Ａ−２はＡＢＳ樹脂で射出成形される。【００１８】図７は本考案の一実施形態に係わる施錠確認表示付き鍵の背面斜視図である。背面には電池蓋７Ａが具備されており、電池が消耗した時点で止めビス１３Ａを緩め取り外し、電池交換ができる。【００１９】図８は本考案の一実施形態に係わる施錠確認表示付き鍵の正面図であるが、鍵本体１Ａを含む全長Ｌ１は１００〜１０５ミリ程が施錠、解錠時には扱いやすく好適である。持ち手２Ａの寸法Ｌ２も同様に持ちやすさ、液晶表示の見やすさから考えて、６５〜７０ミリ程が好ましい。又、Ｌ３はシリンダー４Ａに附設される突起６Ａの位置にもよるが２５ミリ程が握りやすく好適である。液晶表示画面における化粧板３Ａの寸法は視認性の良さから考えて、Ｌ４を２６ミリ、Ｌ５を１２ミリ程に設定することが好ましい。【００２０】図９は本考案の一実施形態に係わる施錠確認表示付き鍵の底面図であり、図１０は同背面図である。切り欠き１４Ａの深さはシリンダー４Ａに附設される突起６Ａの高さＬ９にクリアランスを加えた寸法として、２．５〜２．８ミリ程が好ましい。図１１は上面図であり、持ち手２Ａの厚み方向寸法Ｌ７は内蔵される基板８Ａ、液晶９Ａ、バッテリー１２Ａの構成から考えて、９〜１０ミリ程に押さえることが扱いやすく好適である。【００２１】図１２は本考案の一実施形態に係わる同施錠確認表示付き鍵の右側面図であるが、切り欠き１４Ａは鍵穴５Ａに本考案施錠確認表示付き鍵を差し込んで施錠、解錠する際、鍵穴５Ａの中心を基準として、時計廻り、又は反時計廻りに回転するため、同じく鍵本体１Ａの中心を基準に同心円上に形成され，その軌道上にスイッチ１０Ａ、スイッチ１１Ａが配置される。図１３は左側面図である。【００２２】図１４は本考案の一実施形態に係わる施錠確認表示付き鍵のａ−ａ断面図であり、図１５はｂ−ｂ断面図である。図１６はｃ−ｃ断面図であり、電源供給は薄くて丸い、リチューム電池１２Ａが使用される。【００２３】図１７は本考案の一実施形態に係わる鍵穴５Ａ及び突起６Ａが組み込まれたシリンダー４Ａの正面図であり、突起６Ａの幅Ｌ８は１３ミリ程を設定すれば施錠、解錠いずれの場合にも本考案の施錠確認表示付き鍵を時計廻り、あるいは反時計廻りに回転させても突起６Ａに押されるようにしてスイッチ１０Ａ、スイッチ１１Ａのいずれかがが作動することとなる。【００２４】図１８は本考案の一実施形態に係わる鍵穴５Ａ、突起６Ａが組み込まれたシリンダー４Ａの右側面図であり、突起６Ａの高さ方向Ｌ９の寸法を２ミリ程に設定することで前述同様、施錠確認表示付き鍵を鍵穴５Ａに差し込み施錠、解錠の要領で時計廻り、又は反時計廻りのいずれかの方向に回転させた時、切り欠き１４Ａの軌道上となるよう基板８Ａに配置されたスイッチ１０Ａ、またはスイッチ１１Ａが突起６Ａに押されるようにして作動することとなる。【００２５】図１９は本考案の一実施形態に係わるシリンダー４Ａの上面図である。【００２６】次に実際に本考案の一実施形態に係わる施錠確認表示付き鍵及びシリンダーによる使用状態を説明する。図２０は本考案施錠確認表示付き鍵を使って施錠する前の状態を表す図であるが、液晶９Ａによる表示は例えばＯＰＥＮ，すなわち解錠状態が表示されている。【００２７】図２１は鍵穴５Ａに本考案の施錠確認表示付き鍵を差し込み、時計廻りで９０°以上１３５°以内で回転させた時施錠され、同時に持ち手２Ａに具備されたスイッチ１０Ａがシリンダー４Ａに附設された突起６Ａに押されるようにして作動し、液晶９Ａによる表示は例えばＣＬＯＳＥ、すなわち施錠状態となったことが表示される。【００２８】図２２は施錠が液晶表示により確認でき、施錠確認表示付き鍵を約９０°反時計回りさせた状態を表す図である。【００２９】図２３は確実に施錠が完了し、本考案の施錠確認表示付き鍵を引き抜いた状態を表す図である。【００３０】次に、解錠時での本考案の施錠確認表示付き鍵の操作を説明する。図２４はすでに施錠されている鍵を解錠するために本考案の施錠確認表示付き鍵を鍵穴５Ａに差し込む寸前の状態を表す。次に図２５に示すよう本考案の施錠確認表示付き鍵を鍵穴５Ａに差し込んだまま反時計廻りへ９０°以上回転させると解錠がなされ、同時に持ち手２Ａに具備されたスイッチ１１Ａがシリンダー４Ａに附設された突起６Ａに押されるようにして作動し、解錠状態となったことを液晶表示により示される。【００３１】図２６は本考案の施錠確認表示付き鍵により���錠されたのを確認後、鍵穴５Ａに施錠確認表示付き鍵を注したまま約９０°時計廻りに回転させた状態を表す図であり、液晶９Ａによる表示は解錠状態となったことが示される。【００３２】図２７は解錠状態を確認後、シリンダー５Ａより本考案の施錠確認表示付き鍵を引き抜いた状態を表す図である。【００３３】図２８は本考案の一実施形態に係わる施錠確認表示付き鍵およびシリンダーの機械式タイプの斜視図である。前述同様シリンダー３Ｂに組み込まれる鍵穴４Ｂの周囲の一部には突起５Ｂが附設されており、また、鍵本体１Ｂと持ち手２Ｂからなる施錠確認表示付き鍵には持ち手２Ｂの中央付近に確認用窓８Ｂが前ケース２Ｂ−１、後ろケース２Ｂ−２ともに設けられている。【００３４】図２９は本考案の一実施形態に係わる施錠確認表示付き鍵の斜視図である。【００３５】図３０は本考案の一実施形態に係わる施錠確認表示付き鍵の前ケース２Ｂ−１を外した分解斜視図であり、鍵本体１Ｂを挟み込むようコの字にＡＢＳ樹脂で射出成形、もしくは同様に鉄、真鍮のいずれかでプレスされた金属により作成された表示板６Ｂが程よい抵抗感を持って止めピン７Ｂを介して鍵本体１Ｂに固定される。【００３６】図３１は本考案の一実施形態に係わる施錠確認表示付き鍵の構成部品を示す分解斜視図である。表示板６Ｂには前面、背面ともに印刷面が施されており、図３２に示すよう本考案の施錠確認表示付き鍵を鍵穴４Ｂに差し込み施錠、解錠のいずれかをする時、シリンダー３Ｂに附設された突起５Ｂにより押され、例えば解錠時には注意を促す意味で赤い色が印刷されており、また施錠時には例えば持ち手２Ｂが白色で成形、あるいは塗装されていた時、同色の白色が印刷されており、その時の施錠、解錠状態が確認用窓８Ｂで表示される。【００３７】図３２は本考案の一実施形態に係わる施錠確認表示付き鍵の解錠時に於ける表示板６Ｂが突起５Ｂに押され、前述のように例えば印刷された赤い色が確認用窓８Ｂの真下に位置したことを上面から見た状態を表した図である。【００３８】図３３は本考案の一実施形態に係わる施錠確認表示付き鍵の施錠時に於ける表示板６Ｂが突起５Ｂに押され、前述のように例えば印刷された白い色が確認用窓８Ｂの真下に位置したことを底面から見た状態を表した図である。【００３９】図３４は本考案の一実施形態に係わる施錠確認表示付き鍵の正面図であり、鍵本体１Ｂ及び持ち手２Ｂを含む寸法Ｌ１０は１００〜１０５ミリ程が施錠、解錠時には扱いやすく好適である。持ち手２Ｂの寸法Ｌ１１も同様に持ちやすさ、表示用窓８Ｂの見やすさから考えて６５〜７０ミリ程が好ましい。更にＬ１２も２５ミリ程が手になじみ扱いやすい。【００４０】図３５は本考案の一実施形態に係わる施錠確認表示付き鍵の上面図であるが、持ち手２Ｂの厚さＬ１３は前述の電池式施錠確認表示付き鍵と比較した時、基板８Ａ、液晶９Ａ、バッテリー１２Ａが必要ないため、薄く作ることが可能であり、８ミリ程にすることが好ましい。【００４１】図３６は同施錠確認表示付き鍵の背面図であり、同鍵を鍵穴４Ｂに差し込み、時計、又は反時計廻りのいずれかに９０°以上１３５°以下で回転させた時、シリンダー３Ｂに附設された突起５Ｂが通過できるようその円周軌道���に適宜な切り欠き９Ｂを一対設け、鍵本体１Ｂに附設された表示板６Ｂが突起５Ｂに押されるかたちで止めピン７Ｂを支点として回転し、確認用窓８Ｂに例えば前述のように解錠時には赤で印刷された面が表れる【００４２】図３７は同施錠確認表示付き鍵の底面図であり、図３８は右側面図であるが、施錠、解錠する際には鍵穴４Ｂに施錠確認表示付き鍵を差し込み、９０°以上１３５°以内で回転させるため、突起５Ｂの位置する円周の軌道上に切り欠き９Ｂを設けるようにする。【００４３】図３９は同施錠確認表示付き鍵の左側面図である。【００４４】図４０乃至図４２は同施錠確認表示付き鍵、及びシリンダーのシリンダー３Ｂの正面図、右側面図、上面図である。シリンダー３Ｂに具備される突起５Ｂの長さＬ１４は確実に表示板６Ｂを止めピン７Ｂを支点として回転を加えるために１７ミリ程に設定することが好ましい。
またその高さＬ１５は４ミリ程に設定することが望ましい。
【産業上の利用可能性】
【００４５】本考案施錠確認表示付き鍵及びシリンダーによれば、全世帯において鍵を掛けるということは日常生活に於いて欠くことのできないことであるが、それに伴い外出時にきちんと施錠をしたか否かの不安があった。本考案施錠確認表示付き鍵、及びシリンダーを提供することで、多くの人々の不安を払拭できる有効な手段となるものである。
【符号の説明】
【００４６】    １Ａ・・・・鍵本体
２Ａ・・・・持ち手
２Ａ−１・・・前ケース
２Ａ−２・・・後ろケース
３Ａ・・・・化粧板
４Ａ・・・・シリンダー
５Ａ・・・・鍵穴
６Ａ・・・・突起
７Ａ・・・・電池蓋
８Ａ・・・・基板
９Ａ・・・・液晶
１０Ａ・・・スイッチ
１１Ａ・・・スイッチ
１２Ａ・・・・バッテリー（リチューム電池）
１３Ａ・・・・止めビス
１４Ａ・・・・切り欠き
１Ｂ・・・・鍵本体
２Ｂ・・・・持ち手
２Ｂ−１・・・前ケース
２Ｂ−２・・・後ろケース
３Ｂ・・・・シリンダー
４Ｂ・・・・鍵穴
５Ｂ・・・・突起
６Ｂ・・・・表示板
７Ｂ・・・・止めピン
８Ｂ・・・・確認用窓
９Ｂ・・・・切り欠き